(57)【要約】【課題】移動局を用いた音声通信の品質低下時において、その品質低下に起因して生じる問題を解決する。【解決手段】移動局ＭＳ１は、受信電界強度の低下により通話回線が切断される可能性が高い場合、その旨の状態通知データをパケット通信によって通話先の移動局ＭＳ２に送信する。また、受信電界強度のさらなる低下によって通話回線が切断された場合には、移動局ＭＳ１は、その旨の切断理由通知データをパケット通信によって通話先の移動局ＭＳ２に送信する。また、移動局ＭＳ１は、通話回線が切断された直後の一定期間だけ、ユーザの音声を録音し、その音声データをパケット通信によって通話先の移動局ＭＳ２に送信する。【選択図】      図１
2005020311.tif 000002
【特許請求の範囲】
【請求項１】
外部の通信装置と無線によって音声通信を行う音声通信手段と、
前記音声通信手段によって前記通信装置と音声通信が行われている間に、当該通信装置と無線によってデータ通信を行うデータ通信手段と、
前記音声通信手段による音声通信の品質を判断する判断手段と、
前記音声通信の品質低下に関連する情報を前記通信装置に通知するための通知データを記憶した記憶手段と、
前記判断手段により音声通信の品質が低下したと判断されると、前記記憶手段によって記憶されている通知データを読み出し、読み出した通知データを前記データ通信手段を用いて前記通信装置へ送信する制御手段と
を備えた移動局。
【請求項２】
外部の通信装置との間で確立される通話回線を介し無線によって音声通信を行う音声通信手段と、
前記通信装置と無線によってデータ通信を行うデータ通信手段と、
前記音声通信手段による音声通信の品質を判断する判断手段と、
前記音声通信の品質が劣化したことにより前記通話回線が切断されたことを前記通信装置に通知するための通知データを記憶した記憶手段と、
前記判断手段により音声通信の品質が劣化したと判断されたことによって前記通話回線が切断された場合に、前記記憶手段によって記憶されている通知データを読み出し、読み出した通知データを前記データ通信手段を用いて前記通信装置へ送信する制御手段と
を備えた移動局。
【請求項３】
外部の通信装置との間で確立される通話回線を介し無線によって音声通信を行う音声通信手段と、
前記通信装置と無線によってデータ通信を行うデータ通信手段と、
前記音声通信手段による音声通信の品質を判断する判断手段と、
前記判断手段によって音声通信の品質が劣化したと判断されたことによって前記通話回線が切断された場合に、その切断時点からのある期間においてユーザの音声を録音する録音手段と、
前記録音手段によって録音された音声を示す音声データを前記データ通信手段を用いて前記通信装置へ送信する制御手段と
を備えた移動局。
【請求項４】
前記通知データは、前記通信端末において音声を出力するための音声データ、前記通信端末において文字を表示するためのテキストデータ、或いは、前記通信装置において画像を表示するための画像データの少なくともいずれか１つを含む
請求項１又は２に記載の移動局。
【請求項５】
前記記憶手段は、ユーザの音声を録音し、録音した音声を示すデータを前記通知データとして記憶する
請求項１又は２に記載の移動局。
【請求項６】
前記データ通信手段はパケット交換によるデータ通信を行う
請求項１〜３のいずれか１に記載の移動局。
【請求項７】
前記切断時点からのある期間は、予め定められた一定期間である
請求項３記載の移動局。
【請求項８】
前記切断時点からのある期間は、前記データ通信手段によるデータ通信の品質がある一定レベルを維持している期間である
請求項３記載の移動局。
【請求項９】
前記切断時点からのある期間は、ユーザの操作によって指定される期間である
請求項３記載の移動局。
【発明の詳細な説明】
【０００１】
【発明の属する技術分野】
本発明は、移動局を用いた音声通信の品質低下時において、その品質低下の状態に関連する情報を通話先に通知するための技術に関する。
【０００２】
【従来の技術】
移動局と基地局との間における無線伝搬品質は、移動局が移動することに伴うフェージングなどの影響で絶えず変化している。例えば移動局が網のサービスエリア外まで移動した場合や、建物の裏側などの電波の届きにくい場所に移動した場合等のように、無線伝搬品質が一定レベル以下にまで劣化すると、移動局はこれ以上通信を続けるべきでないと判断し、通話回線の切断処理へ移行している。
【０００３】
【発明が解決しようとする課題】
このような品質劣化による回線切断処理がなされる場合、通話相手には何等の説明や理由が報知されること無く、いきなり通話回線が切断されてしまう。このため、通話相手にとっては、なぜ通話回線が突然切断されたのかということを把握することができない。また、現状の通話システムにおいては、通話回線が切断された後は、当然のことながら通話は一切できない。従って、ほんの少しの時間だけでも通話回線が接続されていたら伝えることが可能な比較的短いメッセージであっても、通話相手に伝わらないというような事態も少なからず生じている。通話回線の切断理由を通話相手に通知するための技術として既に提案されているものがあるが（特許文献１参照）、この技術では上記の要望を満たすことができない。
【０００４】
【特許文献１】
特開平８−１３０５０１号公報
【０００５】
本発明は、このような背景の下になされたものであり、移動局を用いた音声通信の品質低下時において、その品質低下に起因して生じ得る諸問題を解決することを目的としている。
【０００６】
【課題を解決するための手段】
上述した課題を解決するため、本発明は、外部の通信装置と無線によって音声通信を行う音声通信手段と、前記音声通信手段によって前記通信装置と音声通信が行われている間に、当該通信装置と無線によってデータ通信を行うデータ通信手段と、前記音声通信手段による音声通信の品質を判断する判断手段と、前記音声通信の品質低下に関連する情報を前記通信装置に通知するための通知データを記憶した記憶手段と、前記判断手段により音声通信の品質が低下したと判断されると、前記記憶手段によって記憶されている通知データを読み出し、読み出した通知データを前記データ通信手段を用いて前記通信装置へ送信する制御手段とを備えた移動局を提供する。
この移動局によれば、判断手段により音声通信の品質が低下したと判断されると、記憶手段によって記憶されている通知データを読み出し、読み出した通知データをデータ通信手段を用いて音声通信先である外部の通信装置へ送信するので、外部の通信装置のユーザは、移動局における音声通信に品質低下に関連する情報を知ることができる。
【０００７】
また、本発明は、外部の通信装置との間で確立される通話回線を介し無線によって音声通信を行う音声通信手段と、前記通信装置と無線によってデータ通信を行うデータ通信手段と、前記音声通信手段による音声通信の品質を判断する判断手段と、前記音声通信の品質が劣化したことにより前記通話回線が切断されたことを前記通信装置に通知するための通知データを記憶した記憶手段と、前記判断手段により音声通信の品質が劣化したと判断されたことによって前記通話回線が切断された場合に、前記記憶手段によって記憶されている通知データを読み出し、読み出した通知データを前記データ通信手段を用いて前記通信装置へ送信する制御手段とを備えた移動局を提供する。
この移動局によれば、判断手段により音声通信の品質が劣化したと判断されたことによって通話回線が切断された場合に、記憶手段によって記憶されている通知データを読み出し、読み出した通知データをデータ通信手段を用いて音声通信先である外部の通信装置へ送信するので、外部の通信装置のユーザは、移動局における音声通信の品質が劣化したことにより通話回線が切断されたことを知ることができる。
【０００８】
また、本発明は、外部の通信装置との間で確立される通話回線を介し無線によって音声通信を行う音声通信手段と、前記通信装置と無線によってデータ通信を行うデータ通信手段と、前記音声通信手段による音声通信の品質を判断する判断手段と、前記判断手段によって音声通信の品質が劣化したと判断されたことによって前記通話回線が切断された場合に、その切断時点からのある期間においてユーザの音声を録音する録音手段と、前記録音手段によって録音された音声を示す音声データを前記データ通信手段を用いて前記通信装置へ送信する制御手段とを備えた移動局を提供する。
この移動局によれば、判断手段によって音声通信の品質が劣化したと判断されたことによって通話回線が切断された場合に、その切断時点からのある期間においてユーザの音声を録音し、録音された音声を示す音声データをデータ通信手段を用いて音声通信先である外部の通信装置へ送信するので、外部の通信装置のユーザは、通話回線の切断時点からのある期間において移動局のユーザが話した内容を把握することができる。
【０００９】
好ましい態様において、前記通知データは、前記通信端末において音声を出力するための音声データ、前記通信端末においてテキストを表示するためのテキストデータ、或いは、前記通信装置において画像を表示するための画像データの少なくともいずれか１つを含んでいる。また、前記記憶手段は、ユーザの音声を録音し、録音した音声を示す音声データを前記通知データとして記憶してもよい。この場合、移動局のユーザにとっては、自身の音声で通信装置のユーザに対する通知を行うことができるという面白みがある。また、前記データ通信手段はパケット交換によるデータ通信を行うことが望ましい。また、前記切断時点からのある期間は、予め定められた一定期間であってもよい。また、前記切断時点からのある期間は、前記データ通信手段によるデータ通信の品質がある一定レベルを維持している期間であってもよい。また、前記切断時点からのある期間は、ユーザの操作によって指定される期間であってもよい。
【００１０】
また、本発明は、通信装置と無線によって音声通信を行う移動局に内蔵されたコンピュータに、前記通信装置と音声通信が行われている間に、当該通信装置と無線によってデータ通信を行うデータ通信機能と、前記音声通信の品質を判断する判断機能と、前記判断機能により音声通信の品質が低下したと判断されると、前記音声通信の品質低下に関連する情報を前記通信装置に通知するための通知データを記憶装置から読み出し、読み出した通知データを前記データ通信機能を用いて前記通信装置へ送信する制御機能とを実現させるためのプログラムを提供する。
このプログラムによれば、判断機能により音声通信の品質が低下したと判断されると、記憶装置に記憶されている通知データを読み出し、読み出した通知データをデータ通信機能を用いて音声通信先である外部の通信装置へ送信するので、外部の通信装置のユーザは、移動局における音声通信に品質低下に関連する情報を知ることができる。
【００１１】
また、本発明は、通信装置との間に確立される通話回線を介し通信回線無線によって音声通信を行う移動局に内蔵されたコンピュータに、前記通信装置と無線によってデータ通信を行うデータ通信機能と、前記音声通信の品質を判断する判断機能と、前記判断機能により音声通信の品質が劣化したと判断されたことによって前記通話回線が切断された場合に、前記音声通信の品質が劣化したことにより前記通話回線が切断されたことを前記通信装置に通知するための通知データを記憶装置から読み出し、読み出した通知データを前記データ通信機能を用いて前記通信装置へ送信する制御機能とを実現させるためのプログラムを提供する。
このプログラムによれば、判断機能により音声通信の品質が劣化したと判断されたことによって通話回線が切断された場合に、記憶装置に記憶されている通知データを読み出し、読み出した通知データをデータ通信機能を用いて音声通信先である外部の通信装置へ送信するので、外部の通信装置のユーザは、移動局における音声通信の品質が劣化したことにより通話回線が切断されたことを知ることができる。
【００１２】
また、本発明は、通信装置との間に確立される通話回戦を介し無線によって音声通信を行う移動局に内蔵されたコンピュータに、前記通信装置と無線によってデータ通信を行うデータ通信機能と、前記音声通信の品質を判断する判断機能と、前記判断機能によって音声通信の品質が劣化したと判断されたことによって前記通話回線が切断された場合に、その切断時点からのある期間においてユーザの音声を録音する録音機能と、前記録音機能によって録音された音声を示す音声データを前記データ通信機能を用いて前記通信装置へ送信する制御機能と実現させるためのプログラムを提供する。
このプログラムによれば、判断機能によって音声通信の品質が劣化したと判断されたことによって通話回線が切断された場合に、その切断時点からのある期間においてユーザの音声を録音し、録音された音声を示す音声データをデータ通信機能を用いて音声通信先である外部の通信装置へ送信するので、外部の通信装置のユーザは、通話回線の切断時点からのある期間において移動局のユーザが話した内容を把握することができる。
【００１３】
また、本発明は、移動局と、通信装置と、前記移動局と前記通信装置とを接続するための無線ネットワークとを備え、前記移動局は、前記通信装置と前記無線ネットワークを介して音声通信を行う音声通信手段と、前記音声通信手段によって前記通信装置と音声通信が行われている間に、当該通信装置と前記無線ネットワークを介してデータ通信を行うデータ通信手段と、前記音声通信手段による音声通信の品質を判断する判断手段と、前記音声通信の品質低下に関連する情報を前記通信装置に通知するための通知データを記憶した記憶手段と、前記判断手段により音声通信の品質が低下したと判断されると、前記記憶手段によって記憶されている通知データを読み出し、読み出した通知データを前記データ通信手段を用いて前記通信装置へ送信する制御手段とを備え、前記通信装置は、前記移動局と前記無線ネットワークを介して音声通信を行う第２の音声通信手段と、前記第２の音声通信手段によって前記移動局と音声通信が行われている間に、前記移動局と前記無線ネットワークを介してデータ通信を行う第２のデータ通信手段と、前記移動局から送信されてきた通知データを前記第２のデータ通信手段を用いて受信し、受信した通知データを解釈して出力する出力手段とを備えた通信システムを提供する。
【００１４】
また、本発明は、移動局と、通信装置と、前記移動局と前記通信装置とを接続するための無線ネットワークとを備え、前記移動局は、前記通信装置との間で前記無線ネットワークを介して確立される通話回線を用いて音声通信を行う音声通信手段と、前記通信装置と前記無線ネットワークを介してデータ通信を行うデータ通信手段と、前記音声通信手段による音声通信の品質を判断する判断手段と、前記音声通信の品質が劣化したことにより前記通話回線が切断されたことを前記通信装置に通知するための通知データを記憶した記憶手段と、前記判断手段により音声通信の品質が劣化したと判断されたことによって前記通話回線が切断された場合に、前記記憶手段によって記憶されている通知データを読み出し、読み出した通知データを前記データ通信手段を用いて前記通信装置へ送信する制御手段とを備え、前記通信装置は、前記移動局との間で前記無線ネットワークを介して確立される通話回線を用いて音声通信を行う第２の音声通信手段と、前記移動局と前記無線ネットワークを介してデータ通信を行う第２のデータ通信手段と、前記移動局から送信されてきた通知データを前記第２のデータ通信手段を用いて受信し、受信した通知データを解釈して出力する出力手段とを備えた通信システムを提供する。
【００１５】
また、本発明は、移動局と、通信装置と、前記移動局と前記通信装置とを接続するための無線ネットワークとを備え、前記移動局は、前記通信装置との間で前記無線ネットワークを介して確立される通話回線を用いて音声通信を行う音声通信手段と、前記通信装置と前記無線ネットワークを介してデータ通信を行うデータ通信手段と、前記音声通信手段による音声通信の品質を判断する判断手段と、前記判断手段によって音声通信の品質が劣化したと判断されたことによって前記通話回線が切断された場合に、その切断時点からのある期間においてユーザの音声を録音する録音手段と、前記録音手段によって録音された音声を示す音声データを前記データ通信手段を用いて前記通信装置へ送信する制御手段とを備え、前記通信装置は、  前記移動局との間で前記無線ネットワークを介して確立される通話回線を用いて音声通信を行う第２の音声通信手段と、前記移動局と前記無線ネットワークを介してデータ通信を行う第２のデータ通信手段と、前記移動局から送信されてきた音声データを前記第２のデータ通信手段を用いて受信し、受信した音声データを解釈して出力する出力手段とを備えた通信システムを提供する。
【００１６】
【発明の実施の形態】
以下、図面を参照して、この発明の実施形態について説明する。
Ａ：構成
以下、本発明の一実施形態の移動局を用いた移動通信システムについて説明する。なお、図面において、共通する部分には同一の符号が付されている。
（１）システムの全体構成
図１は、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）方式に従う移動通信システムの全体構成を示すブロック図である。図１に示すように、この移動通信システムは、移動局ＭＳ１，ＭＳ２と、基地局ＢＳ１，ＢＳ２と、交換局ＭＬＳ１，ＭＬＳ２と、パケット通信サービス制御局Ｍ−ＳＣＰと、ＡＴＭ（Ａｓｙｎｃｈｒｏｎｏｕｓ  Ｔｒａｎｓｆｅｒ  Ｍｏｄｅ）網ＮＷを備えている。ＡＴＭ網ＮＷは、図示せぬ関門交換局やゲートウェイ装置を介して、固定電話網やインターネットや他の移動通信網等の各種ネットワークに接続されている。なお、図１においては、図面が繁雑になるのを避けるため、移動局、基地局及び交換局をそれぞれ２つしか図示していないが、これらは実際にはもっと多数存在する。また、移動局ＭＳ１，ＭＳ２はいずれも共通の構成及び動作なので、以下では特に区別して説明する必要がある場合を除き、移動局ＭＳという。基地ＢＳ１，ＢＳ２、交換局ＭＬＳ１，ＭＬＳ２についても、同様の理由から基地局ＢＳ、交換局ＭＬＳという。
【００１７】
各基地局ＢＳは自身が形成する無線セルに在圏している移動局ＭＳとの間で無線通信を行う。交換局ＭＬＳは、複数の基地局ＢＳを収容するとともに他の交換局ＭＬＳと相互に接続されており、ＡＴＭ網ＮＷ内における回線交換処理やパケット交換処理を行う。
【００１８】
各移動局ＭＳは、基地局ＢＳと無線通信を行うことによって、この移動通信システムによって実現される音声通信サービス及びパケット通信サービスを受けるようになっている。ここで、音声通信サービスとは、複数の移動局ＭＳのユーザ同士、或いは、移動局ＭＳのユーザと他の通信装置（例えば固定電話網に接続された固定電話機）のユーザとが、回線交換方式で通話を行うためのサービスである。また、パケット通信サービスとは、移動局ＭＳと他の通信装置（例えば別の移動局ＭＳや、固定電話機や、ＡＴＭ網ＮＷやインターネット等のネットワークに接続されたサーバ装置等）とが、パケット交換方式でデータ通信を行うためのサービスである。このパケット通信サービスは、パケット通信サービス制御局Ｍ−ＳＣＰにおいてパケット通信中であることが登録されている移動局ＭＳに対してのみ提供されるようになっている。また、各移動局ＭＳは、ＣＤＭＡ（Ｃｏｄｅ  Ｄｉｖｉｓｉｏｎ  Ｍｕｌｔｉｐｌｅ  Ａｃｃｅｓｓ）方式によって割り当てられた音声通信用の無線チャネルとパケット通信用の無線チャネルという、２種類の無線チャネルを利用することにより、音声通信サービスとパケット通信サービスの双方を同時に受ける処理（一般にマルチアクセス或いはマルチコールと呼ばれる処理）が可能となっている。
【００１９】
移動機ＭＳ及び基地局ＢＳの無線区間における通信品質は、移動局ＭＳの移動等に伴って生じるフェージングの影響によって大きく変動することが知られている。図２は、移動局ＭＳが基地局ＢＳから送信されてくる電波を受信した際の電界強度（以下、受信電界強度という）の高低と、音声通信品質及びパケット通信品質の高低との関係を示した模式図である。移動局ＭＳにおいては、受信電界強度が一定値（以下、この値を限界値という）未満になると急速に通信品質が劣化する。従って、移動局ＭＳは、通信中において受信電界強度が限界値未満に一定期間以上留まっていることが検出されると、通信不能と判断して無線チャネルの解放処理へ移行する。この限界値は、通話のための音声通信とデータ通信のためのパケット通信とでは異なる値が設定されており、音声通信における限界値（図２に示す音声通信限界値Ｖ１）より、パケット通信における限界値（図２に示すパケット通信限界値Ｖ２）の方が小さくなっている。なぜなら、通話においては、ユーザが不快に感じない程度のリアルタイム性が要求されることから、データ伝搬遅延があまり許されないのに対し、パケット通信においては、通話ほどのリアルタイム性が要求されず、ある程度のデータ伝搬遅延は許容され得るからである。従って、移動局ＭＳにおいては、音声通信が不能の状態であってもパケット通信は可能という状態（即ち、図２の音声通信限界値Ｖ１とパケット通信限界値Ｖ２の間における状態）が存在する。
【００２０】
本実施形態では、上記のような音声通信が不能であってもパケット通信は可能という状態が存在する点に着目し、移動局ＭＳが以下のような処理を行うようになっている。
まず、音声通信品質が低下して音声通信用の無線チャネルが解放されそうな状態に至ったときには、移動局ＭＳはパケット通信用の無線チャネルを確立し、通信品質の低下に関連した情報（ここでは、「通話回線が切断される可能性が高い」という情報）をパケット通信によって通話先の電話機に通知するようになっている。ここで、音声通信用の無線チャネルが解放されそうな状態とは、図２においてある受信電界強度値Ｖ３未満で音声通信限界値Ｖ１以上という、受信電界強度が比較的低い状態（これを以下、弱電界状態という）である。この受信電界強度値Ｖ３は経験的に求められる値であり、以下では、弱電界限界値Ｖ３という。
【００２１】
そして、受信電界強度がさらに低下して音声通信限界値Ｖ１未満となり、音声通信用の無線チャネルが解放されたときには、移動局ＭＳは、既に確立しているパケット通信用の無線チャネルを用いて、受信電界強度の低下が理由で通話回線が切断されたということをパケット通信によって通話先の電話機へ通知する。
【００２２】
さらに、移動局ＭＳは、音声通信用の無線チャネルが解放された後の一定期間（例えば５秒間）だけ、ユーザの音声を録音し、録音した音声を示す音声データをパケット通信用の無線チャネルを用いて通話先の電話機へ送信する。そして、通話先の電話機は、移動局ＭＳから送信されてきた音声データを受信すると、これをスピーカから音声として出力する。これにより、通話先の電話機のユーザは、通話回線の切断直後の通話相手の音声を聞くことができ、重要なメッセージ等を聞き逃すような事態をある程度回避することが可能となる。一方、通話元である移動局ＭＳのユーザも通話回線の切断直後に自身が話した内容を示す音声は通話相手に届けられることがわかっているので、通話回線が切断された直後に、言い忘れたメッセージを素早く言えば足りることとなる。
【００２３】
（２）移動局の構成
次に、図３のブロック図を参照しながら、移動局ＭＳの構成について説明する。
通信部１１は、アンテナや通信制御回路を備えており、ＣＰＵ１２による制御の下で基地局ＢＳと無線通信を行う。より具体的には、通信制御回路は、ＣＰＵ１２による制御の下で、音声通信時の音声データやパケット通信時のデータなどを拡散コードによって拡散して送信信号を生成し、この送信信号をアンテナを介して基地局ＢＳに送信する。また、これとは逆に、通信制御回路は、基地局ＢＳから送信されてくる無線信号をアンテナを介して受信すると、この信号を拡散コードによって逆拡散し、これによって自局宛の音声通信時の音声データやパケット通信時のパケットデータなどを得るようになっている。また、通信制御回路は、ＣＰＵ１２による制御の下で、音声通信用の無線チャネルを接続したままパケット通信用の無線チャネルを確立して、これによって音声通信とパケット通信との双方を行うことが可能となっている。また、通信制御回路においては、基地局ＢＳから送信されてきた無線信号をアンテナを介して受信した際の受信電界強度を検出する機能が備わっており、検出された受信電界強度はバス２０を介してＣＰＵ１２に供給されるようになっている。
【００２４】
ＲＯＭ（Ｒｅａｄ  Ｏｎｌｙ  Ｍｅｍｏｒｙ）１３には、移動機ＭＳに割り当てられた電話番号や、移動機ＭＳを制御するための各種の制御プログラムが記憶されている。この制御プログラムには、ＣＰＵ（Ｃｅｎｔｒａｌ  Ｐｒｏｃｅｓｓｉｎｇ  Ｕｎｉｔ）１２が受信電界強度に基づいて後述する処理を実行するための手順が記述された通知プログラム１３ａが含まれている。この通知プログラム１３ａには、前述した音声通信限界値Ｖ１、パケット通信限界値Ｖ２及び弱電界限界値Ｖ３のほか、通話回線が切断される可能性が高い状態にあることを音声で通話先に通知するための状態通知データや、受信電界強度の低下が理由で通話回線が切断されたことを音声で通話先に通知するための切断理由通知データ等も記述されている。以下、これらの状態通知データと切断理由通知データとを合わせて「通知データ」と総称する。
【００２５】
通信部１１に接続された通話部１８は、マイクロホン、スピーカ及び音声ＣＯＤＥＣを備えており、これによって移動局ＭＳのユーザは通話を行うことが可能となっている。また、上述したように移動局ＭＳは音声用の無線チャネルが解放された直後にユーザの音声を録音する機能を備えているが、通話部１８のマイクロホン及び音声ＣＯＤＥＣはこの録音処理を実行するために利用される。具体的には、マイクロホンによって集音された音声に応じたアナログ信号が音声ＣＯＤＥＣによってデジタル信号に変換され、変換後のデジタル信号はバス２０を介してＲＡＭ１４に供給され、このＲＡＭ１４によって記憶されるようになっている。この際、ＣＰＵ１２は、音声を録音すべき期間として定められた一定期間が経過したか否かを判断するために、タイマ１９を利用するようになっている。
【００２６】
表示部１６は、液晶表示パネルやこれを駆動するパネル駆動回路を有しており、ＣＰＵ１２から供給されるデータによって表される画像を表示する。操作部１７は、複数の操作キーやジョイスティック等の各種操作子を備え、ユーザによる操作に応じた信号をバス２０を介してＣＰＵ１２へ供給する。ＣＰＵ１２は、操作部１７から供給される信号に応じた処理を実行する。
【００２７】
Ｂ：動作
次に、図４〜図６を参照しながら、移動局ＭＳのＣＰＵ１２の動作について説明する。以下では、基地局ＢＳ１の無線セルに在圏する移動局ＭＳ１のユーザと、基地局ＢＳ２の無線セルに在圏する移動局ＭＳ２のユーザとが通話を行っている際に、移動局ＭＳ１における受信電界強度が低下した場合を例に挙げて説明する。
【００２８】
図４及び図５は、移動局ＭＳのＲＯＭ１３に記憶された通知プログラム１３ａに記述されたメインルーチンを示す図である。このメインルーチンは、移動局ＭＳ１と移動局ＭＳ２との間で音声通信が開始されることを契機として、移動局ＭＳ１のＣＰＵ１２及び移動局ＭＳ２のＣＰＵ１２の双方によってそれぞれ実行されるが、ここでは移動局ＭＳ１における受信電界強度が低下した場合を想定しているので、以下では、移動局ＭＳ１のＣＰＵ１２が実行するものとして説明する。
【００２９】
図４において、移動局ＭＳ１のＣＰＵ１２は、通信部１１の通信制御回路によって検出された受信電界強度値が、予めＲＯＭ１３に記憶している弱電界限界値Ｖ３以上か否かを判断している（ステップＳ１）。
【００３０】
ここで、受信電界強度値が弱電界限界値Ｖ３未満となった場合には（ステップＳ１；Ｎｏ）、ＣＰＵ１２は通信部１１を介してパケット通信登録要求を送信する。このパケット通信登録要求は、基地局ＢＳ１によって受信された後、さらに複数の交換局ＭＬＳによってＡＴＭ網ＮＷ内を伝送され、パケット通信サービス制御局Ｍ−ＳＣＰによって受信される。パケット通信サービス制御局Ｍ−ＳＣＰは、このパケット通信登録要求を受信すると、移動局ＭＳ１がパケット通信中であることを登録した後、登録完了通知を移動局ＭＳ１宛に送信し、移動局ＭＳ１はこれを受信する。このような処理を経ることによって移動局ＭＳ１はパケット通信用の無線チャネルを確立したことになり、以後、移動局ＭＳ１はＡＴＭ網ＮＷを介したパケット通信が可能な状態となる（ステップＳ２）。
【００３１】
パケット通信が可能な状態になると、移動局ＭＳ１のＣＰＵ１２は、ＲＯＭ１３から状態通知データを読み出し（ステップＳ３）、読み出した状態通知データをパケットに分割し、各々のパケットを移動局ＭＳ２を宛先とし通信部１１を介して送信する（ステップＳ４）。
【００３２】
この状態通知データは、基地局ＢＳ１によって受信された後、複数の交換局ＭＬＳによってＡＴＭ網ＮＷ内を伝送され、基地局ＢＳ２を収容する交換局ＭＬＳ２に届けられる。この交換局ＭＬＳ２が、状態通知データの宛先である移動局ＭＳ２を基地局ＢＳ２を介して呼びだすと、移動局ＭＳ２のＣＰＵ１２はこの呼出に応答し、移動局ＭＳ１が行った上記手順と同様にパケット通信登録要求を送信する等して、パケット通信用の無線チャネルを確立する。このパケット通信用の無線チャネルが確立されると、交換局ＭＬＳ２は基地局ＢＳ２を介して状態通知データを移動局ＭＳ２に送信し、移動局ＭＳ２の通信部１１はこれを受信する。次いで、移動局ＭＳ２のＣＰＵ１２は、通信部１１によって受信された状態通知データを解釈して、受信電界強度の低下により通話回線が切断される可能性が高いことを通知する音声メッセージを、移動局ＭＳ１との間で交わされる通話音声に重ね合わせて通話部１８のスピーカから出力する。これによって、移動局ＭＳ２のユーザは、移動局ＭＳ１との間の通話回線が切断されるかもしれないことを、その切断前に知ることになる。
【００３３】
さて、移動局ＭＳ１のＣＰＵ１２は、ステップＳ４において状態通知データを送信した後、通信制御回路によって検出された受信電界強度値が、（ａ）ＲＯＭ１３に記憶している弱電界限界値Ｖ３以上か、（ｂ）弱電界限界値Ｖ３未満で音声通信限界値Ｖ１以上か、或いは、（ｃ）音声通信限界値Ｖ１未満かということを判断する（ステップＳ５）。
【００３４】
ここで、弱電界限界値Ｖ３未満で音声通信限界値Ｖ１以上と判断された場合には（ステップＳ５；（ｂ））、受信電界強度影響による通信品質には変わりがないので、ＣＰＵ１２によってステップＳ５の判断処理が再度繰り返される。
【００３５】
また、受信電界強度値が弱電界限界値Ｖ３以上であると判断されると（ステップＳ５；（ａ））、ＣＰＵ１２は、音声通信品質が良好な状態に戻ったと判断し、ステップＳ２において確立したパケット通信用の無線チャネルを解放する処理を行った（ステップＳ６）後に、再びステップＳ１に戻って前述した処理を再度行うこととなる。この無線チャネルの解放処理は、具体的には以下のようにして行われる。移動局ＭＳ１のＣＰＵ１２は、通信部１１を介してパケット通信登録解除要求を送信する。このパケット通信登録解除要求は、基地局ＢＳ１によって受信された後、さらに複数の交換局ＭＬＳによってＡＴＭ網ＮＷ内を伝送され、パケット通信サービス制御局Ｍ−ＳＣＰによって受信される。パケット通信サービス制御局Ｍ−ＳＣＰは、このパケット通信登録解除要求を受信すると、移動局ＭＳ１がパケット通信中であるという登録を解除した後、解除完了通知を移動局ＭＳ１宛に送信し、移動局ＭＳ１はこれを受信する。このような処理を経ることによって移動局ＭＳ１はパケット通信用の無線チャネルを解放した状態になる。
【００３６】
一方、受信電界強度値が音声通信限界値Ｖ１未満であると判断されると（ステップＳ５；（ｃ））、ＣＰＵ１２は、通話を続行できないと判断し、交換局ＭＬＳ１に対して音声通信用の無線チャネルの解放要求を送信する（ステップＳ７）。この解放要求は、基地局ＢＳ１によって受信された後に、交換局ＭＬＳ１に転送される。そして、交換局ＭＬＳ１は、移動局ＭＳ１及び移動局ＭＳ２間で確立している通話回線を切断する処理を行う。
【００３７】
通話回線が切断されると、移動局ＭＳ１のＣＰＵ１２は、通知プログラム１３ａに記述された手順に従って、ユーザの音声を録音するためのサブルーチンを開始する（図５のステップＳ８）。即ち、図６に示すように、ＣＰＵ１２は、通話部１８のマイクロホンによって集音された音声を表す音声データをＲＡＭ１４に順次記憶させていき（ステップＳ２１）、例えば５秒間というような予め定められた録音期間が経過すると（ステップＳ２２；Ｙｅｓ）、ＣＰＵ１２は音声録音処理を終了する。
【００３８】
さて、図５において、ＣＰＵ１２は、ステップＳ８において録音処理のためのサブルーチンを開始した後、ＲＯＭ１３から切断理由通知データを読み出し（ステップＳ９）、読み出した切断理由通知データをパケットに分割し、これを通信部１１を介して移動局ＭＳ２を宛先として送信する（ステップＳ１０）。
【００３９】
この切断理由通知データは、基地局ＢＳ１によって受信された後、複数の交換局ＭＬＳによってＡＴＭ網ＮＷ内を伝送され、基地局ＢＳ２によって受信される。基地局ＢＳ２は、移動局ＭＳ２との間で既に確立しているパケット通信用の無線チャネルを用いて切断理由通知データを移動局ＭＳ２に送信し、移動局ＭＳ２の通信部１１はこれを受信する。移動局ＭＳ２のＣＰＵ１２は、通信部１１によって受信された切断理由通知データを解釈して、受信電界強度の低下によって通話回線が切断されたことを通知する音声メッセージを通話部１８のスピーカから出力する。これによって、移動局ＭＳ２のユーザは、移動局ＭＳ１との間の通話回線が受信電界強度のさらなる低下、即ち、通信品質の劣化を理由として切断されたことを知ることになる。
【００４０】
次いで、移動局ＭＳ１のＣＰＵ１２は、図６に示した録音処理のためのサブルーチンが終了しているか否かを判断する（ステップＳ１１）。ここで、サブルーチンが終了していれば（ステップＳ１１；Ｙｅｓ）、ＣＰＵ１２は、通信部１１の通信制御回路から供給される受信電界強度値が、ＲＯＭ１３に記憶されているパケット通信限界値Ｖ２以上か否かを判断する（ステップＳ１２）。
【００４１】
ここで、受信電界強度値がパケット通信限界値Ｖ２以上の場合には（ステップＳ１２；Ｙｅｓ）、ＣＰＵ１２はパケット通信可能と判断し、ＲＡＭ１４に記憶されている音声データを読み出し（ステップＳ１３）、読み出した音声データをパケットに分割し、これを移動局ＭＳ１を宛先とし通信部１１を介して送信する（ステップＳ１４）。
【００４２】
この音声データは、基地局ＢＳ１によって受信された後、複数の交換局ＭＬＳによってＡＴＭ網ＮＷ内を伝送され、基地局ＢＳ２によって受信される。基地局ＢＳ２は、移動局ＭＳ２との間で既に確立しているパケット通信用の無線チャネルを用いて音声データを移動局ＭＳ２に送信し、移動局ＭＳ２の通信部１１はこれを受信する。移動局ＭＳ２のＣＰＵ１２は、受信した音声データを解釈して、移動局ＭＳ１のユーザの音声を通話部１８のスピーカから出力する。これによって、移動局ＭＳ２のユーザは、通話回線の切断直後の一定期間に移動局ＭＳ１のユーザが話した内容を知ることができる。
【００４３】
移動局ＭＳ１のＣＰＵ１２は、ステップＳ１４において音声データを送信した後、ステップＳ７と同様の手順でパケット通信用の無線チャネルを解放し、処理は終了する（ステップＳ１５）。
なお、ステップＳ１２において受信電界強度がパケット通信限界値Ｖ２未満であると判断された場合には（ステップＳ１２；Ｎｏ）、ＣＰＵ１２は、録音された音声データを送信不能の旨を表示部１６に表示した後（ステップＳ１６）、パケット通信用の無線チャネルを解放して処理は終了する。
【００４４】
以上説明したように、本実施形態によれば、受信電界強度の低下（即ち音声通信品質の低下）により通話回線が切断される可能性が高いことを通話先のユーザに通知することが可能となる。また、受信電界強度のさらなる低下（即ち音声通信品質の劣化）によって通話回線が切断された場合には、その旨を通話先のユーザに通知することが可能となる。また、通話先のユーザは、通話回線が切断された直後の一定期間に通話元のユーザが話した内容を知ることができる。
【００４５】
Ｃ：変形例
なお、本発明は上述した実施形態に限定されず、以下のような種々の変更が可能である。
（１）変形例１
上述した実施形態では、通知データは音声データであると説明したが、これに限らず、テキストデータや画像データ等のように、通話相手の電話機において表示可能なデータであってもよいし、音声データと表示可能なデータとの組み合わせでもよい。また、通知データの種別（即ち、状態通知データか切断理由通知データか）を表すコード情報であってもよい。この場合、このコード情報を受信した通話相手の電話機は、受信したコード情報に対応したメッセージを音声やテキストで出力すればよい。また、通知データは、移動局ＭＳのＲＯＭ１３に予め記憶されたものに限らず、ＡＴＭ網ＮＷを介してダウンロードしたものであってもよいし、通知データが音声データである場合には、移動局ＭＳのユーザの音声を録音したものであってもよい。これらの場合には、通知データは移動局ＭＳのＥＥＰＲＯＭ（Ｅｌｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１５に記憶されることとなり、ＣＰＵ１２はこのＥＥＰＲＯＭ１５から通知データを読み出して通話相手の電話機に送信することになる。
【００４６】
（２）変形例２
また、実施形態では、音声通信用の無線チャネル解放後の録音処理を予め定められた一定期間のみ行うこととしたが、これに限らない。例えば、パケット通信品質が一定レベル以上にありパケット通信が十分に可能な間は録音処理を継続するようにしてもよい。また、ユーザの操作に基づいて録音処理の中止時点を決定してもよい。例えば、音声通信用の無線チャネル解放された後に、ユーザはどうしても通話相手に伝えておきたいメッセージを話し、そのメッセージを話し終わったら録音処理を終了する操作を行うようにしてもよい。
【００４７】
（３）変形例３
実施形態では、いわゆるマルチアクセスが可能な移動局ＭＳを用いているため、受信電界強度の低下によって音声通信用の無線チャネルが解放される可能性が高い場合には、音声通信を行いつつパケット通信を行って状態通知データを通話先の電話機に送信することが可能であった。
ただし、音声通信用の無線チャネルの解放後の処理、即ち、切断理由通知データの送信処理やユーザ音声の送信処理は、マルチアクセスが可能な移動局ＭＳでなくとも実行可能である。よって、これらの処理内容を技術的範囲に含む発明においては、通話とデータ通信とを同時に行う移動局は必須の構成とはならない。
【００４８】
（４）変形例４
移動局ＭＳは、実施形態で例示したＩＭＴ−２０００方式に限らず、例えばＰＤＣ（Ｐｅｒｓｏｎａｌ  Ｄｉｇｉｔａｌ  Ｃｅｌｌｕｌａｒ）方式や、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式や、ＰＨＳ（Ｐｅｒｓｏｎａｌ  Ｈａｎｄｙｐｈｏｎｅ  Ｓｙｓｔｅｍ：登録商標）方式等の、音声通信とデータ通信との双方が可能な方式であればよい。なお、実施形態では移動局ＭＳ同士の音声通信時を例示したが、これに限らず、本発明は、移動局ＭＳと固定電話機等の通信装置との間でなされる音声通信時に適用可能なことは言うまでもない。
【００４９】
（５）変形例５
通知プログラム１３ａは、移動局ＭＳのＣＰＵ１２によって読み取り可能な磁気記録媒体、光記録媒体あるいはＲＯＭなどの記録媒体に記録して提供することができる。また、この通知プログラム１３ａをＡＴＭ網ＮＷやインターネットのようなネットワーク経由で移動局ＭＳにダウンロードさせることももちろん可能である。この場合、通知プログラム１３ａはＲＯＭ１３ではなく、ＥＥＰＲＯＭ１５に記憶されることになる。
【００５０】
【発明の効果】
上述したように、本発明によれば、移動局において、音声通信の品質が低下したと判断されると、音声通信の品質低下に関連する情報を通知するための通知データを外部の通信装置へ送信するので、その通信装置のユーザは、移動局における音声通信に品質低下に関連する情報を知ることができる。
【００５１】
また、本発明によれば、移動局において音声通信の品質が劣化したと判断されたことによって前記通話回線が切断された場合に、音声通信の品質が劣化したことにより前記通話回線が切断されたことを通知するための通知データを外部の通信装置へ送信するので、その通信装置のユーザは、移動局における音声通信の品質が劣化したことにより通話回線が切断されたことを知ることができる。
【００５２】
また、本発明によれば、移動局において通話回線が切断された場合に、その切断時点からのある期間においてユーザの音声を録音し、録音された音声を示す音声データを外部の通信装置へ送信するので、その通信装置のユーザは、通話回線の切断時点からのある期間において移動局のユーザが話した内容を把握することができる。
【図面の簡単な説明】
【図１】本発明の一実施形態に係る移動局を用いた移動通信システムの全体構成を示すブロック図である。
【図２】同移動局が基地局から送信された電波を受信した際の電界強度の強弱と、音声通信品質及びパケット通信品質の高低との関係を示した図である。
【図３】同移動局の構成を示すブロック図である。
【図４】同移動局のＣＰＵが実行するメインルーチンを示す図である。
【図５】同移動局のＣＰＵが実行するメインルーチンを示す図である。
【図６】同移動局のＣＰＵが実行するサブルーチンを示す図である。
【符号の説明】
ＭＳ１，ＭＳ２・・・移動局（移動局、通信装置）、
ＢＳ１，ＢＳ２・・・基地局、ＭＬＳ１，ＭＬＳ２・・・交換局、
Ｍ−ＳＣＰ・・・パケット通信サービス制御局、
ＮＷ・・・ＡＴＭ網（無線ネットワーク）、
１１・・・通信部（音声通信手段、データ通信手段、判断手段）、
１２・・・ＣＰＵ（データ通信手段、判断手段、制御手段、録音手段）、
１３・・・ＲＯＭ（記憶手段）、１４・・・ＲＡＭ（録音手段）、
１５・・ＥＥＰＲＯＭ、１６・・・表示部、１７・・・操作部、
１８・・・通話部、１９・・・タイマ、２０・・・バス。
【図１】
2005020311.tif 000003
【図２】
2005020311.tif 000004
【図３】
2005020311.tif 000005
【図４】
2005020311.tif 000006
【図５】
2005020311.tif 000007
【図６】
2005020311.tif 000008